(57)【要約】ゴルフボール用マーカーは、基盤部材、上蓋部材及び起立部材を連結して構成される。基盤部材の平面板部の一端部に連結片部を形成し、他端部に係止片部を形成する。上蓋部材の平面板部の一端部に第１の連結片部を形成し、他端部に第２の連結片部を形成する。起立部材の平面板部を基盤部材及び上蓋部材の各平面板部の外径より小とし、この平面板部の一端部に連結片部を形成する。起立部材の平面板部を伏臥させ、上蓋部材の平面板部を被覆すれば、起立部材を基盤部材と上蓋部材との間に収納させることができる。起立部材の平面板部を起立させ、起立部材の他端部を基盤部材の平面板部の係止片部に係止すれば、起立部材を起立保持させることができる。
2012077244.tif 000002
【特許請求の範囲】
【請求項１】
平面板部の一端部に連結片部を形成すると共に、他端部に係止片部を形成してなる基盤部材と、
平面板部の一端部に前記平面板部の連結片部と連結する第１の連結片部を形成すると共に、他端部に第２の連結片部を形成してなる上蓋部材と、
前記基盤部材及び前記上蓋部材の各平面板部の外径より小とした外径を有する平面板部を設け、この平面板部の一端部に前記上蓋部材の平面板部の第２の連結片部と連結する連結片部を形成してなる起立部材と、から構成され、
前記起立部材の平面板部を伏臥させ、前記上蓋部材の平面板部を被覆することによって、前記起立部材を前記基盤部材と前記上蓋部材との間に収納させることができると共に、
前記起立部材の平面板部を起立させ、起立部材の他端部を前記基盤部材の平面板部の係止片部に係止することによって、前記起立部材を起立保持させることができるようにしたことを特徴とするゴルフボール用マーカー。
【請求項２】
平面板部の一端部に第１の連結片部を形成すると共に、他端部に第２の連結片部を形成し、操作部を外方に突出させたレバーを設置してなる基盤部材と、
平面板部の一端部に前記基盤部材の平面板部の第１の連結片部と連結する連結片部を形成し、前記レバーの操作部を係止する係止溝部を形成してなる上蓋部材と、
前記基盤部材及び前記上蓋部材の各平面板部の外径より小とした外径を有する平面板部を設け、この平面板部の一端部に前記基盤部材の平面板部の第２の連結片部と連結する連結片部を形成してなる起立部材と、から構成され、
前記基盤部材の平面板部の第１の連結片部と前記上蓋部材の平面板部の連結片部との間に拡開方向に弾力付勢すると共に、前記基盤部材の平面板部の第２の連結片部と前記起立部材の平面板部の連結片部との間に拡開方向に弾力付勢してなり、
前記起立部材の平面板部を伏臥させ、前記上蓋部材の平面板部を被覆させ、前記レバーの操作部を前記係止溝部に係止することによって、前記起立部材を前記基盤部材と前記上蓋部材との間に収納させることができると共に、
前記レバーの操作部を操作し、操作部と前記係止溝部との係止を解除することによって、自動的に前記上蓋部材の平面板部及び前記起立部材の平面板部を起立させ、起立部材の他端部を前記基盤部材の他端部に係止することによって、前記起立部材を起立保持させることができるようにしたことを特徴とするゴルフボール用マーカー。
【請求項３】
平面板部の一端部に連結片部を形成すると共に、操作部を外方に突出させたレバーを設置してなる基盤部材と、
平面板部の一端部に前記基盤部材の平面板部の連結片部と連結する第１の連結片部を形成すると共に、他端部に第２の連結片部を形成し、前記レバーの操作部を係止する係止溝部を形成してなる上蓋部材と、
前記基盤部材及び前記上蓋部材の各平面板部の外径より小とした外径を有する平面板部を設け、この平面板部の一端部に前記上蓋部材の平面板部の第２の連結片部と連結する連結片部を形成してなる起立部材と、から構成され、
前記基盤部材の平面板部の連結片部と前記上蓋部材の平面板部の第１の連結片部との間に拡開方向に弾力付勢すると共に、前記上蓋部材の平面板部の第２の連結片部と前記起立部材の平面板部の連結片部との間に拡開方向に弾力付勢してなり、
前記起立部材の平面板部を伏臥させ、前記上蓋部材の平面板部を被覆させ、前記レバーの操作部を前記係止溝部に係止することによって、前記起立部材を前記基盤部材と前記上蓋部材との間に収納させることができると共に、
前記レバーの操作部を操作し、操作部と前記係止溝部との係止を解除することによって、自動的に前記上蓋部材の平面板部及び前記起立部材の平面板部を起立させ、起立部材の他端部を前記基盤部材の他端部に係止することによって、前記起立部材を起立保持させることができるようにしたことを特徴とするゴルフボール用マーカー。
【請求項４】
前記基盤部材の平面板部に磁性材料を固着したことを特徴とする請求項１乃至３の何れか１に記載のゴルフ用マーカー。
【請求項５】
前記上蓋部材又は前記起立部材の平面板部に色彩を着色したことを特徴とする請求項１乃至４の何れか１に記載のゴルフ用マーカー。
【請求項６】
前記上蓋部材又は前記起立部材の平面板部に図案を描画したことを特徴とする請求項１乃至５の何れか１に記載のゴルフ用マーカー。
【発明の詳細な説明】
【技術分野】
【０００１】
本発明は、ゴルフコースのフェアウェイ又はグリーンにおいて、ゴルフボールを一時的に拾い上げる際に、ゴルフボールのある位置を示すために置くゴルフボール用マーカーに関する。
【背景技術】
【０００２】
ゴルフのプレー中には、プレーヤーは、原則として、ゴルフボールに手を触れることはできない。しかし、ボールに砂、泥等が付着していては、フェアウェイ、グリーン等においてボールを打つ時、コントロールが狂ってしまったり、スピンが掛らなかったりする場合がある。又、グリーン上においてパッティングする際、他のプレーヤーのボールが邪魔になって、自分のボールをホールに向かって打つことができない場合がある。このような場合、ゴルフルールでは、フェアウェイ、グリーン等におけるボールの位置を示すために、ホールに正対してボールの直後にマーカーを置き、ボールを一時的に拾い上げることができるとされている。
このようなゴルフボール用マーカーとしては、従来、コイン、プラスチック製の薄肉円板等が一般に使用されている。又、円板の底面に突出部を形成して、その突出部をグリーンに突き刺すことによって、置いた位置が容易に変わらないようにしたもの、円板の底面に磁石を嵌着して、クリップを付設した金属製のホルダーに吸着させることによって、キャップ、ポケット等に容易に保持できるようにしたものも使用されている。
しかし、上記ゴルフボール用マーカーは、何れも肉厚が２〜３ｍｍ程度と薄いために、フェアウェイ、グリーン等に置いた場合に、芝生に埋没して視認し難く、プレーヤー又はキャディーがマーカーを探すのに時間がかかる場合があった。
又、グリーン上でパッティングラインを読む際、マーカーの位置が視認し難いために、上手くパッティングラインを読むことができない場合もあった。
このような問題点を解決するために、実用新案登録第３１１４６３１号公報（以下、「特許文献１」という）に記載されるように、着磁部を形成した大径の第１マーカーと、磁性材料よりなる小径の第２マーカーとから構成され、使用時に、第１マーカーの上面に第２マーカーの周面を吸着させ、第２マーカーを起立させるようにしたものが提案されている。
又、特開２０００−５１４２０号公報（以下、「特許文献２」という）、特開２０００−５１４２１号公報（以下、「特許文献３」という）に記載されるように、基盤部の一端にヒンジ部を介して起立部を連結し、基盤部の底面に埋め込み部を突設して構成され、使用時に、埋め込み部をグリーン等に突き刺すと共に、起立部を回動させて起立させるようにしたものも提案されている。
【先行技術文献】
【特許文献】
【０００３】
【特許文献１】実用新案登録第３１１４６３１号公報
【特許文献２】特開２０００−５１４２０号公報
【特許文献３】特開２０００−５１４２１号公報
【発明の概要】
【発明が解決しようとする課題】
【０００４】
特許文献１に記載されたマーカーは、大径の第１マーカー及び小径の第２マーカーという別体である２部材から構成されるから、何れかのマーカーを破損又は紛失してしまうと、従来のマーカーとしての機能しか果たさないものとなってしまう。又、使用時に、大径の第１マーカーをグリーン等に置いた後、小径の第２マーカーを吸着、載置するものだから、設置操作が面倒であり、誤って第２マーカーを転がしてしまい易い。
一方、特許文献２、特許文献３に記載されたマーカーは、起立部は薄肉円板状であるから、使用時に起立させた場合に、起立部の平面方向から見ると、線状に見えるだけであるから、プレーヤーがマーカーの位置を視認し難い。又、起立部を頻繁に回動、起立させると、ヒンジ部が摩耗等し、回転抵抗が低下して、起立した状態に保持できなくなってしまう。さらには、埋め込み部を形成してあるため、ポケット等に挿入した場合に、埋め込み部がプレーヤーの身体に圧迫を加え、違和感を覚えるという問題もあった。
本発明は、上記問題点を解決するべく為されたものであって、使用時に、あらゆる角度から見ても、プレーヤーがマーカーの位置を視認し易く、設置操作が簡単であり、長期に亘って使用しても、起立部を起立した状態に保持することができ、しかも、通常時に、違和感を覚えることなく、携帯することができるゴルフボール用マーカーを提供することを目的とする。
【課題を解決するための手段】
【０００５】
本発明は、上記目的を達成するため、基盤部材、上蓋部材及び起立部材を回動可能に連結して構成したゴルフボール用マーカーを提供する。
第１の発明のゴルフボール用マーカーは、平面板部の一端部に連結片部を形成すると共に、他端部に係止片部を形成してなる基盤部材と、平面板部の一端部に前記平面板部の連結片部と連結する第１の連結片部を形成すると共に、他端部に第２の連結片部を形成してなる上蓋部材と、前記基盤部材及び前記上蓋部材の各平面板部の外径より小とした外径を有する平面板部を設け、この平面板部の一端部に前記上蓋部材の平面板部の第２の連結片部と連結する連結片部を形成してなる起立部材と、から構成され、前記起立部材の平面板部を伏臥させ、前記上蓋部材の平面板部を被覆することによって、前記起立部材を前記基盤部材と前記上蓋部材との間に収納させることができると共に、前記起立部材の平面板部を起立させ、起立部材の他端部を前記基盤部材の平面板部の係止片部に係止することによって、前記起立部材を起立保持させることができるようにしたことを特徴とする。
第２の発明のゴルフボール用マーカーは、平面板部の一端部に第１の連結片部を形成すると共に、他端部に第２の連結片部を形成し、操作部を外方に突出させたレバーを設置してなる基盤部材と、平面板部の一端部に前記基盤部材の平面板部の第１の連結片部と連結する連結片部を形成し、前記レバーの操作部を係止する係止溝部を形成してなる上蓋部材と、前記基盤部材及び前記上蓋部材の各平面板部の外径より小とした外径を有する平面板部を設け、この平面板部の一端部に前記基盤部材の平面板部の第２の連結片部と連結する連結片部を形成してなる起立部材と、から構成され、前記基盤部材の平面板部の第１の連結片部と前記上蓋部材の平面板部の連結片部との間に拡開方向に弾力付勢すると共に、前記基盤部材の平面板部の第２の連結片部と前記起立部材の平面板部の連結片部との間に拡開方向に弾力付勢してなり、前記起立部材の平面板部を伏臥させ、前記上蓋部材の平面板部を被覆させ、前記レバーの操作部を前記係止溝部に係止することによって、前記起立部材を前記基盤部材と前記上蓋部材との間に収納させることができると共に、前記レバーの操作部を操作し、操作部と前記係止溝部との係止を解除することによって、自動的に前記上蓋部材の平面板部及び前記起立部材の平面板部を起立させ、起立部材の他端部を前記基盤部材の他端部に係止することによって、前記起立部材を起立保持させることができるようにしたことを特徴とする。
第３の発明のゴルフボール用マーカーは、平面板部の一端部に連結片部を形成すると共に、操作部を外方に突出させたレバーを設置してなる基盤部材と、平面板部の一端部に前記基盤部材の平面板部の連結片部と連結する第１の連結片部を形成すると共に、他端部に第２の連結片部を形成し、前記レバーの操作部を係止する係止溝部を形成してなる上蓋部材と、前記基盤部材及び前記上蓋部材の各平面板部の外径より小とした外径を有する平面板部を設け、この平面板部の一端部に前記上蓋部材の平面板部の第２の連結片部と連結する連結片部を形成してなる起立部材と、から構成され、前記基盤部材の平面板部の連結片部と前記上蓋部材の平面板部の第１の連結片部との間に拡開方向に弾力付勢すると共に、前記上蓋部材の平面板部の第２の連結片部と前記起立部材の平面板部の連結片部との間に拡開方向に弾力付勢してなり、前記起立部材の平面板部を伏臥させ、前記上蓋部材の平面板部を被覆させ、前記レバーの操作部を前記係止溝部に係止することによって、前記起立部材を前記基盤部材と前記上蓋部材との間に収納させることができると共に、前記レバーの操作部を操作し、操作部と前記係止溝部との係止を解除することによって、自動的に前記上蓋部材の平面板部及び前記起立部材の平面板部を起立させ、起立部材の他端部を前記基盤部材の他端部に係止することによって、前記起立部材を起立保持させることができるようにしたことを特徴とする。
ここで、前記基盤部材の平面板部に磁性材料を固着してもよい。又、前記上蓋部材又は前記起立部材の平面板部に色彩を着色し、図案を描画してもよい。
【発明の効果】
【０００６】
本発明のゴルフボール用マーカーによれば、使用時に、略三角形状の立体構造を呈するという形態によって、あらゆる角度から見ても、プレーヤーはマーカーの位置を明確に視認することができる。
第１の発明のマーカーでは、上蓋部材を上方に回動させ、起立部材の他端部を基盤部材の係止片部に係止させるだけで、第２及び第３の発明のマーカーでは、レバーの操作部を手指で操作し、上蓋部材の係止溝部との係止を解除するだけで、自動的にマーカーを使用時の設定にすることができるから、設定作業は極めて簡単である。
長期に亘って使用しても、第１の発明のマーカーは、起立部材の他端部を基盤部材の係止片部に係止させ、起立した状態に保持することができ、第２及び第３の発明のマーカーでは、起立部材の他端部を上蓋部材又は基盤部材の周壁板部に当接、係止させ、起立した状態に保持することができるから、何等問題なく、起立部材を起立した状態に保持することができる。
通常時には、マーカーを閉鎖状態にすれば、そのままシャツ又はズボンのポケット内に収容して、又、キャップの鍔部にクリップ等によって固定された磁力を有する台座部材に吸着、保持させて、マーカーを携帯することができ、しかも、マーカーは基盤部材の底面に突出部を形成していないから、身体に圧迫を加え、違和感を覚えるということもない。
マーカーの上蓋部材又は起立部材の平面板部に適宜色彩を着けておけば、フェアウェイ、グリーンの芝生の緑色との関係で、マーカーがより視認し易くなる。又、適宜色彩を着け、図案を描いておけば、ゴルフコンペ時、又、商品販売促進時において、景品として贈ることができる。
【図面の簡単な説明】
【０００７】
図１は、本発明のゴルフボール用マーカーの一実施形態の展開図である。
図２は、本発明のゴルフボール用マーカーの一実施形態の通常時の外観斜視図である。
図３は、本発明のゴルフボール用マーカーの一実施形態の使用時の外観斜視図である。
図４は、本発明のゴルフボール用マーカーの一実施形態の使用時の側面図である。
図５は、本発明のゴルフボール用マーカーの他実施形態の展開図である。
図６は、本発明のゴルフボール用マーカーの他実施形態の内部構造を示す斜視図である。
図７は、本発明のゴルフボール用マーカーの他実施形態の通常時の外観斜視図である。
図８は、本発明のゴルフボール用マーカーの他実施形態の使用時の外観斜視図である。
図９は、本発明のゴルフボール用マーカーの他実施形態の通常時の底面図である。
図１０は、本発明のゴルフボール用マーカーの他実施形態の通常時の平面図である。
図１１は、本発明のゴルフボール用マーカーの他実施形態の展開図である。
図１２は、本発明のゴルフボール用マーカーの他実施形態の内部構造を示す斜視図である。
図１３は、本発明のゴルフボール用マーカーの他実施形態の通常時の外観斜視図である。
図１４は、本発明のゴルフボール用マーカーの他実施形態の使用時の外観斜視図である。
【発明を実施するための形態】
【０００８】
以下、本発明のゴルフボール用マーカーの好適な実施形態について、図面を参照して詳細に説明する。
［実施形態１］
図１は、本発明のゴルフボール用マーカーの一実施形態の展開図、図２は、その通常時の外観斜視図、図３は、その使用時の外観斜視図、図４は、その使用時の側面図である。
本発明のゴルフボール用マーカー１は、図１乃至図４に示すように、基盤部材２と、上蓋部材３と、起立部材４とから構成される。
基盤部材２は、外径２５ｍｍ、肉厚１ｍｍの金属材料からなる円形状の平面板部２ａの一端部に連結片部２ｂを形成し、他端部に係止片部２ｃを形成してある。係止片部２ｃは、平面板部２ａに対して略直角に上方に突出させてある。
上蓋部材３は、外径２５ｍｍ、肉厚１ｍｍの金属材料からなる円形状の平面板部３ａ又は湾曲板部の一端部に連結片部３ｂを形成し、他端部に連結片部３ｃを形成してある。
起立部材４は、外径２０ｍｍ、肉厚１ｍｍの金属材料からなる円形状の平面板部４ａの一端部に連結片部４ｂを形成してある。
基盤部材２の連結片部２ｂと上蓋部材３の連結片部３ｂとは連結ピン５を介して、又、上蓋部材３の連結片部３ｃと起立部材４の連結片部４ｂとは連結ピン６を介して回動自在に連結してある。
ゴルフボール用マーカー１は、以上のような構成であって、通常時は、起立部材４の平面板部４ａを回動させて、上蓋部材３の平面板部３ａに当接させ、次に、上蓋部材３の平面板部３ａを回動させて、起立部材４の平面板部４ａを基盤部材２の平面板部２ａに当接させ、上蓋部材３の連結片部３ｃを基盤部材２の係止片部２ｃに係止することによって、図２に示すように、基盤部材２、上蓋部材３及び起立部材４を折り畳み、起立部材４を内部に収容した閉鎖状態としておく。
この閉鎖状態にすれば、そのままシャツ又はズボンのポケット内に収容して、又、キャップの鍔部にクリップ等によって固定された磁力を有する台座部材に吸着、保持させて、マーカー１を携帯することができる。この際、本発明のマーカー１は、基盤部材２の底面に突出部を形成していないから、身体に圧迫を加え、違和感を覚えるということはない。
使用時、すなわち、フェアウェイ、グリーン等において、ボールのある位置を示すために、ボールの直後にマーカーを置く場合には、先ず、上蓋部材３の連結片部３ｃと基盤部材２の係止片部２ｃとの係止を解除して、上蓋部材３を上方に回動させる。すると、起立部材４が開放されて、徐々に起立してきて、起立部材４の平面板部４ａの他端部が基盤部材２の係止片部２ｃに係止されると、図３及び図４に示すように、側面から見て、基盤部材２、上蓋部材３及び起立部材４からなる略三角形状を呈する立体構造が構成される。
立体構造を構成したマーカー１をフェアウェイ、グリーン等に置けば、略三角形状の立体構造を呈するという形態によって、プレーヤーは、マーカー１の位置をあらゆる角度から明確に視認することができる。又、上蓋部材３を上方に回動させ、起立部材４の他端部を基盤部材２の係止片部２ｃに係止させるだけで、マーカー１を設定することができるから、設定作業は極めて簡単である。
又、上蓋部材３、起立部材４を頻繁に回動、起立させ、連結片部２ｂ、連結片部３ｂ、連結ピン５等が摩耗等したとしても、起立部材４の他端部を基盤部材２の係止片部２ｃに係止させ、起立した状態に保持するものであるから、何等問題なく、起立部材４を起立した状態に保持することができる。
［実施形態２］
図５は、本発明のゴルフボール用マーカーの他実施形態の展開図、図６は、その内部構造を示す斜視図、図７は、その通常時の外観斜視図、図８は、その使用時の外観斜視図、図９は、その通常時の底面図、図１０は、その通常時の平面図である。
本発明のゴルフボール用マーカー１１は、図５乃至図８に示すように、基盤部材１２と、上蓋部材１３と、起立部材１４とから構成される。
基盤部材１２は、外径２５ｍｍ、肉厚１ｍｍの金属材料からなる円形状の平面板部１２ａと、この平面板部１２ａの周囲に形成した周壁板部１２ｂとから構成され、平面板部１２ａの一端部に連結片部１２ｃを形成し、他端部に連結片部１２ｄを形成してある。又、図９に示すように、基盤部材１２の外面中央部は内側に陥没させ、薄肉円形状の磁性部材１２ｅを固着してある。
上蓋部材１３は、外径２５ｍｍ、肉厚１ｍｍの金属材料からなる円形状の平面板部１３ａと、この平面板部１３ａの周囲に形成した周壁板部１３ｂとから構成され、平面板部１３ａの一端部に連結片部１３ｃを形成してある。又、図１０に示すように、上蓋部材１３の外面には、薄肉板状又はシート状の表示部材１３ｄを固着してある。
起立部材１４は、外径２０ｍｍ、肉厚１ｍｍの金属材料からなる円形状の平面板部１４ａから構成され、平面板部１４ａの一端部に連結片部１４ｂを形成してある。
基盤部材１２の連結片部１２ｃと上蓋部材１３の連結片部１３ｃとは連結ピン１５を介して回動自在に連結してあり、この連結ピン１５にはトーションバネ１６を巻回してある。
又、基盤部材１２の連結片部１２ｄと起立部材１４の連結片部１４ｂとは連結ピン１７を介して回動自在に連結してあり、この連結ピン１７にはトーションバネ１８を巻回してある。
図５に示すように、基盤部材１２には、レバー１９を支軸２０を介して回動自在に設置してある。このレバー１９の一端部は押圧部１９ａとし、前記トーションバネ１６の一方の杆状部１６ａと当接してあり、他端部は操作部１９ｂとし、前記周壁板部１２ｂの一側部に穿設した切欠部から外方に突出させてある。
一方、図６に示すように、上蓋部材１３には係止溝部２１を形成してあり、この係止溝部２１に前記操作部１９ｂが位置し、操作部１９ｂが係止溝部２１の周囲に形成した突出部２２に係止されることによって、基盤部材１２と上蓋部材１３とは重なり合い、マーカー１１は閉鎖されるようになっている。
ゴルフボール用マーカー１１は、以上のような構成であって、通常時は、起立部材１４の平面板部１４ａを回動させて、基盤部材１２の平面板部１２ａに当接させ、次に、上蓋部材１３の平面板部１３ａを回動させて、起立部材１４の平面板部１４ａに当接させ、上蓋部材３の係止溝部２１にレバー１９の操作部１９ｂを位置させ、突出部２２に係止することによって、図７に示すように、基盤部材１２、上蓋部材１３及び起立部材１４を折り畳み、起立部材１４を内部に収容した閉鎖状態としておく。
この閉鎖状態にすれば、そのままシャツ又はズボンのポケット内に収容して、又、キャップの鍔部にクリップ等によって固定された磁力を有する台座部材に吸着、保持させて、マーカー１１を携帯することができる。この際、本発明のマーカー１１は、基盤部材１２の底面に突出部を形成していないから、身体に圧迫を加え、違和感を覚えるということはない。
使用時、すなわち、フェアウェイ、グリーン等において、ボールのある位置を示すために、ボールの直後にマーカーを置く場合には、先ず、レバー１９の操作部１９ｂを手指で操作し、操作部１９ｂと上蓋部材１３の突出部２２との係止を解除する。すると、トーションバネ１６の弾性力により上蓋部材１３が開放されて、瞬時に起立し、一方、トーションバネ１８の弾性力により起立部材４が開放されて、瞬時に起立する。そして、起立部材１４の平面板部１４ａの他端部が上蓋部材１３の周壁板部１２ｂに当接し、係止されると、図８に示すように、側面から見て、基盤部材１２、上蓋部材１３及び起立部材１４からなる略三角形状を呈する立体構造が構成される。
立体構造を構成したマーカー１１をフェアウェイ、グリーン等に置けば、略三角形状の立体構造を呈するという形態によって、プレーヤーは、マーカー１１の位置をあらゆる角度から明確に視認することができる。又、レバー１９の操作部１９ｂを手指で操作し、上蓋部材１３の係止溝部との係止を解除するだけで、上蓋部材１３及び起立部材４が自動的に開放され、瞬時に起立すると共に、起立部材１４の平面板部１４ａの他端部が上蓋部材１３の周壁板部１３ｂに当接して、係止されるから、設定作業は極めて簡単である。
又、上蓋部材１３、起立部材１４を頻繁に起立させ、連結片部１２ｃ、連結片部１３ｃ、連結ピン１５、連結片部１２ｄ、連結片部１４ｂ、連結ピン１７が摩耗等したとしても、起立部材１４の他端部を上蓋部材１３の周壁板部１３ｂに当接、係止させ、起立した状態に保持するものであるから、何等問題なく、起立部材１４を起立した状態に保持することができる。
［実施形態３］
図１１は、本発明のゴルフボール用マーカーの他実施形態の展開図、図１２は、その内部構造を示す斜視図、図１３は、その通常時の外観斜視図、図１４は、その使用時の外観斜視図である。
本発明のゴルフボール用マーカー３１は、図１１乃至図１４に示すように、基盤部材３２と、上蓋部材３３と、起立部材３４とから構成される。
基盤部材３２は、外径２５ｍｍ、肉厚１ｍｍの金属材料からなる円形状の平面板部３２ａと、この平面板部３２ａの周囲に形成した周壁板部３２ｂとから構成され、平面板部３２ａの一端部に連結片部３２ｃを形成し、他端部に係止片部３２ｄを形成してある。
上蓋部材３３は、外径２５ｍｍ、肉厚１ｍｍの金属材料からなる円形状の平面板部３３ａと、この平面板部３３ａの周囲に形成した周壁板部３３ｂとから構成され、平面板部３３ａの一端部に連結片部３３ｃを形成し、他端部に連結片部３３ｄを形成してある。
起立部材３４は、外径２０ｍｍ、肉厚１ｍｍの金属材料からなる円形状の平面板部３４ａから構成され、平面板部３４ａの一端部に連結片部３４ｂを形成してある。
基盤部材３２の連結片部３２ｃと上蓋部材３３の連結片部３３ｃとは連結ピン３５を介して回動自在に連結してあり、この連結ピン３５にはトーションバネ３６を巻回してある。
又、上蓋部材３３の連結片部３３ｄと起立部材３４の連結片部３４ｂとは連結ピン３７を介して回動自在に連結してあり、この連結ピン３７にはトーションバネ３８を巻回してある。
図１１に示すように、基盤部材３２には、レバー３９を支軸４０を介して回動自在に設置してある。このレバー３９の一端部は押圧部３９ａとし、前記トーションバネ３６の一方の杆状部３６ａと当接してあり、他端部は操作部３９ｂとし、前記周壁板部３２ｂの一側部に穿設した切欠部から外方に突出させてある。
一方、図１２に示すように、上蓋部材３３には係止溝部４１を形成してあり、この係止溝部４１に前記操作部３９ｂが位置し、操作部３９ｂが係止溝部４１の周囲に形成した突出部４２に係止されることによって、基盤部材３２と上蓋部材３３とは重なり合い、マーカー３１は閉鎖されるようになっている。
ゴルフボール用マーカー３１は、以上のような構成であって、通常時は、起立部材３４の平面板部３４ａを回動させて、上蓋部材３３の平面板部３３ａに当接させ、次に、上蓋部材３３の平面板部３３ａを回動させて、上蓋部材３３の係止溝部４１にレバー３９の操作部３９ｂを位置させ、突出部４２に係止することによって、図１３に示すように、基盤部材３２、上蓋部材３３及び起立部材３４を折り畳み、起立部材３４を内部に収容した閉鎖状態としておく。
この閉鎖状態にすれば、そのままシャツ又はズボンのポケット内に収容して、又、キャップの鍔部にクリップ等によって固定された磁力を有する台座部材に吸着、保持させて、マーカー３１を携帯することができる。この際、本発明のマーカー３１は、基盤部材３２の底面に突出部を形成していないから、身体に圧迫を加え、違和感を覚えるということはない。
使用時、すなわち、フェアウェイ、グリーン等において、ボールのある位置を示すために、ボールの直後にマーカーを置く場合には、先ず、レバー３９の操作部３９ｂを手指で操作し、操作部３９ｂと上蓋部材３３の突出部４２との係止を解除する。すると、トーションバネ３６の弾性力により上蓋部材３３が開放されて、瞬時に起立し、一方、トーションバネ３８の弾性力により起立部材３４が開放されて、瞬時に起立する。そして、起立部材３４の平面板部３４ａの他端部が基盤部材３２の周壁板部３２ｂに当接し、係止されると、図１４に示すように、側面から見て、基盤部材３２、上蓋部材３３及び起立部材３４からなる略三角形状を呈する立体構造が構成される。
立体構造を構成したマーカー３１をフェアウェイ、グリーン等に置けば、略三角形状の立体構造を呈するという形態によって、プレーヤーは、マーカー３１の位置をあらゆる角度から明確に視認することができる。又、レバー３９の操作部３９ｂを手指で操作し、上蓋部材３３の係止溝部との係止を解除するだけで、上蓋部材３３及び起立部材３４が自動的に開放され、瞬時に起立すると共に、起立部材３４の平面板部３４ａの他端部が基盤部材３２の周壁板部３３ｂに当接して、係止されるから、設定作業は極めて簡単である。
又、上蓋部材３３、起立部材３４を頻繁に起立させ、連結片部３２ｃ、連結片部３３ｃ、連結ピン３５、連結片部３２ｄ、連結片部３４ｂ、連結ピン３７が摩耗等したとしても、起立部材３４の他端部を基盤部材３２の周壁板部３２ｂに当接、係止させ、起立した状態に保持するものであるから、何等問題なく、起立部材３４を起立した状態に保持することができる。
以上のように、ゴルフボール用マーカー１，１１，３１は、使用時に、略三角形状の立体構造を呈するという形態によって、あらゆる角度から見ても、プレーヤーはマーカー１，１１，３１の位置を明確に視認することができる。
マーカー１は、上蓋部材３を上方に回動させ、起立部材４の他端部を基盤部材２の係止片部２ｃに係止させるだけで、マーカー１１，３１は、レバー１９，３９の操作部１９ｂ，３９ｂを手指で操作し、上蓋部材１３，３３の突出部２２，４２との係止を解除するだけで、マーカー１，１１，３１を使用時の設定にすることができるから、設定作業は極めて簡単である。
又、長期に亘って使用しても、マーカー１は、起立部材４の他端部を基盤部材２の係止片部２ｃに係止させ、マーカー１１は、起立部材１４の他端部を上蓋部材１３の周壁板部１３ｂに当接、係止させ、マーカー３１は、起立部材３４の他端部を基盤部材３２の周壁板部３２ｂに当接、係止させ、起立した状態に保持することができるから、何等問題なく、起立部材４，１４，３４を起立した状態に保持することができる。
マーカー１，１１，３１を閉鎖状態にすれば、シャツ又はズボンのポケット内に収容して、又、キャップの鍔部にクリップ等によって固定された磁力を有する台座部材に吸着、保持させて、マーカー１，１１，３１を携帯することができ、しかも、マーカー１，１１，３１は、基盤部材２，１２，３２の底面に突出部を形成していないから、身体に圧迫を加え、違和感を覚えるということもない。
尚、グリーン上において自分のボールがホールに近い、他者のボールに近い等の理由によって、他のプレーヤーのプレーの邪魔になる虞がある場合には、マーカー１，１１，３１を開放し、起立部４，１４，３４を起立させないで、閉鎖状態で使用してもよい。
マーカー１，１１，３１の上蓋部材３，１３，３３の平面板部材３ａ，１３ａ，３３ａ、起立部材４，１４，３４の平面板部材４ａ，１４ａ，３４ａに適宜色彩を着けておけば、フェアウェイ、グリーンの芝生の緑色との関係で、マーカー１，１１，３１がより視認し易くなるので好ましい。又、適宜色彩を着け、図案を描いておけば、ゴルフコンペ時、又、商品販売促進時において、景品として贈るのに好適である。
又、上蓋部材３，１３，３３、起立部材４，１４，３４に、直接色彩を着け、図案を描くのではなく、図１０に示すように、上蓋部材１３の外面に、薄肉板状又はシート状の表示部材１３ｄを固着し、この表示部材１３ｄに色彩を着け、図案を描くようにしてもよい。かかる構成にすれば、表示部材１３ｄを複数種類作製するだけで、色彩、図案の異なったマーカー１，１１，３１を製造することができ、プレー時にも楽しく、景品としても喜ばれるものとなる。
さらに、表示部材１２ｄを着脱自在とすれば、表示部材１３ｄを交換するだけで、色彩、図案の異なったマーカー１，１１，３１を楽しむことができる。ここで、表示部材１３ｄを紙又はプラスチック製シートとし、接着剤又は粘着剤によって上蓋部材１３の外面に貼着するようにしてもよく、表示部材１３ｄを金属製又はプラスチック製薄肉板とし、凹凸嵌合によって上蓋部材１３の外面に嵌着するようにしてもよい。
以上、本発明のゴルフボール用マーカーについて、実施形態に基づいて説明したが、本発明は、この実施形態に限定されるものではない。
例えば、基盤部材２，１２，３２の平面板部２ａ，１２ａ，３２ａ、上蓋部材３，１３，３３の平面板部３ａ，１３ａ，３３ａの外径を２５ｍｍ、肉厚を１ｍｍとしたが、勿論、この数値に限定されるものではないが、マーカーとしての使用性、携帯性を考慮すると、外径は１０〜４０ｍｍ、肉厚は０．２〜４ｍｍとすることが好ましい。起立部材４，１４，３４の平面板部４ａ，１４ａ，３４ａの外径、肉厚も上記数値に限定されるものではないが、基盤部材２，１２，３２と上蓋部材３，１３，３３との間に収容することから、必然的に、基盤部材２，１２，３２の平面板部２ａ，１２ａ，３２ａ、上蓋部材３，１３，３３の平面板部３ａ，１３ａ，３３ａの外径よりは小とする必要がある。
基盤部材２，１２，３２、上蓋部材３，１３，３３、起立部材４，１４，３４の形状も、円形状に限らず、楕円形状、四角形状、六角形状、八角形状等の多角形状を採用してもよい。特に、起立部材４，１４，３４として、人物、動物、乗物等、各種図案、形状を採用すれば、プレー時にも楽しく、景品としても喜ばれるものとなる。
基盤部材２，１２，３２、上蓋部材３，１３，３３、起立部材４，１４，３４の材料も、金属材料に限らず、合成樹脂材料を使用してもよい。但し、雨天時にも使用することから、金属材料の場合には、錆が発生し難いステンレス、アルミニウム等を使用するのが好ましく、又は、黄銅等に防錆用メッキ、塗装を施すのが好ましい。
又、基盤部材２，１２，３２、上蓋部材３，１３，３３に小孔を形成したり、それらを多孔性材料で構成すれば、マーカーが泥等で汚れて、水洗いをした場合に、内部に水分が残留しないようにすることができる。
さらに、上記実施形態においては、ワンタッチで上蓋部材３，１３，３３、起立部材４，１４，３４を起立させる機構として、レバー１９，３９をスライドする形式のものを採用したが、レバーをプッシュする形式のものを採用するようにしてもよい。
【産業上の利用可能性】
【０００９】
本発明のゴルフボール用マーカーは、ゴルフボールのある位置を示すために置くマーカーとして使用することができるのは勿論、ゴルフコンペ時、商品販売促進時における景品として、又、机上に置く装飾品として利用することもできる。
【符号の説明】
【００１０】
１  ゴルフボール用マーカー
２  基盤部材
２ａ  平面板部    ２ｂ  連結片部    ２ｃ  係止片部
３  上蓋部材
３ａ  平面板部    ３ｂ  連結片部    ３ｃ  連結片部
４  起立部材
４ａ  平面板部
１１  ゴルフボール用マーカー
１２  基盤部材
１２ａ  平面板部    １２ｃ  連結片部    １２ｄ  連結片部
１３  上蓋部材
１３ａ  平面板部    １３ｂ  周壁板部    １３ｃ  連結片部
１４  起立部材
１４ａ  平面板部    １４ｂ  連結片部
１６  トーションバネ
１８  トーションバネ
１９  レバー
１９ｂ  操作部
２１  係止溝部
２２  突出部
３１  ゴルフボール用マーカー
３２  基盤部材
３２ａ  平面板部    ３２ｃ  連結片部    ３２ｄ  連結片部
３３  上蓋部材
３３ａ  平面板部    ３３ｂ  周壁板部    ３３ｃ  連結片部
３４  起立部材
３４ａ  平面板部    ３４ｂ  連結片部
３６  トーションバネ
３８  トーションバネ
３９  レバー
３９ｂ  操作部
４１  係止溝部
４２  突出部
【図１】
2012077244.tif 000003
【図２】
2012077244.tif 000004
【図３】
2012077244.tif 000005
【図４】
2012077244.tif 000006
【図５】
2012077244.tif 000007
【図６】
2012077244.tif 000008
【図７】
2012077244.tif 000009
【図８】
2012077244.tif 000010
【図９】
2012077244.tif 000011
【図１０】
2012077244.tif 000012
【図１１】
2012077244.tif 000013
【図１２】
2012077244.tif 000014
【図１３】
2012077244.tif 000015
【図１４】
2012077244.tif 000016
【国際調査報告】
2012077244.tif 000017
2012077244.tif 000018
2012077244.tif 000019